(57)【要約】 【課題】 構造簡単で複数ノズルの角度調節を容易にできる連装ノズルを得る。 【解決手段】   複数の水噴射ノズルを、それぞれ複数の水噴射ノズルを有する複数の連装ユニットに纏め、連装ユニットを調節ボルトと封止装置を用いて支点の回りに揺動させる俯仰調節機構を設けてユニット基台に取り付けたので、調節機構の数が少なく、構造が簡単で調節作業が容易であり、また連装ノズルの全体の寸法が小さくコンパクトになる。俯仰調節機構は、角度調節用の楔型スペーサでもよい。【選択図】図１
2008049342.tif 000002
【特許請求の範囲】
【請求項１】
複数の水噴射ノズルを、それぞれ複数の水噴射ノズルを有する複数の連装ユニットに纏め、上記連装ユニットを俯仰調節機構を設けてユニット基台に取り付けたことを特徴とする連装ノズル。 
【請求項２】
上記俯仰調節機構は、連装ユニットの俯仰を調節する調節ボルトと、上記連装ユニットと上記ユニット基台との間を封止する封止装置とを備えたことを特徴とする請求項１記載の連装ノズル。 
【請求項３】
上記ユニット基台に設けられて上記ユニットを揺動可能に支持する支点が設けられたことを特徴とする請求項２記載の連装ノズル。
【請求項４】
上記支点が上記ユニット基台端面よりも上記封止装置側に設けられたことを特徴とする請求項３記載の連装ノズル。 
【請求項５】
上記支点位置が調節可能であることを特徴とする請求項３あるいは４記載の連装ノズル。 
【請求項６】
上記俯仰調節機構は、上記ユニット基台と上記連装ユニットとの間に挿入されて、上記連装ユニットの俯仰角度を調節する楔型スペーサと、上記楔形スペーサを介して上記連装ユニットを上記ユニット基台に固定する取付装置とを備えたことを特徴とする請求項１記載の連装ノズル。 
【請求項７】
上記俯仰調節機構は、上記ユニット基台および上記連装ユニットと上記楔形スペーサとの間に封止装置を更に備えたことを特徴とする請求項６記載の連装ノズル。 
【発明の詳細な説明】
【技術分野】
【０００１】
この発明は連装ノズルに関し、特に複数のノズルが連装ユニットとして放水設備の給水パイプに取付られる連装ノズルに関するものである。 
【背景技術】
【０００２】
従来の連装ノズルとしては給水パイプに取り付けられるほぼ円筒状の本体から僅かに上に向けられて放射状に延びた多数の遠投用のノズルを備えているものがある。このように多数のノズルを持つ連装ノズルに於いては設置環境によってノズルの角度を調節しなければならぬことがしばしばあるため、各遠投用のノズルをそれぞれ角度調節機構を介してヘッド本体に取り付け、各遠投用のノズルが角度調節できるようにしてある。ノズルの角度調節は水平方向にも垂直方向にも行うことがあるが、特に重要なのは垂直方向即ち俯仰角度の調節である。 
【０００３】
図２６および図２７に示すものはこのようなノズルの角度調節機構の一例としてボールジョイントを用いたノズル５１である。ノズル５１の根本部にボール５２である球状膨出部が設けられていて、このボール５２が給水パイプ（図示してない）に接続されるアダプタ５３のソケット部５４内で回転自在に嵌められていて、ソケット部５４に嵌合するキャップ５５によって保持されている。このようなボールジョイントに於いては、あらゆる方向に角度調節ができる。
【特許文献１】特開平０８−０１０６６８号
【発明の開示】
【発明が解決しようとする課題】
【０００４】
このような連装ノズルはそれぞれ独立した角度調節機構を持った多数のノズルを備えているので、据付現場でノズルの向きを一つ一つ調節する作業を各々のノズルに対して行わねばならず、据付作業に時間が掛かる。また、ボールジョイントを用いた場合には俯仰調節だけをしようとしても誤って水平方向に回転させてしまうこともあり、作業が困難である。また、ヘッド本体から突出したノズルが多数あるために連装ノズルの全体寸法が大きくなってしまっている。 
【０００５】
従って、この発明の課題は上述のような従来の連装ノズルの問題点を解消することであり、また構造が簡単で複数のノズルの角度調節を一斉に容易に行うことができる連装ノズルを得ることである。 
【課題を解決するための手段】
【０００６】
この発明によれば、上述の課題を解決するための手段は次の通りである。
【０００７】
連装ユニットは、複数の水噴射ノズルを、それぞれ複数の水噴射ノズルを有する複数の連装ユニットに纏め、上記連装ユニットを俯仰調節機構を設けてユニット基台に取り付けたものにできる。
上記俯仰調節機構は、連装ユニットの俯仰を調節する調節ボルトと、上記連装ユニットと上記ユニット基台との間を封止する封止装置とを備えたものにできる。
【０００８】
上記ユニット基台に設けられて上記ユニットを揺動可能に支持する支点が設けられたものにできる。 
上記支点が上記ユニット基台端面よりも上記封止装置側に設けられたものにできる。
上記支点位置が調節可能であるようにしてもよい。
【０００９】
上記俯仰調節機構は、上記ユニット基台と上記連装ユニットとの間に挿入されて、上記連装ユニットの俯仰角度を調節する楔型スペーサと、上記楔形スペーサを介して上記連装ユニットを上記ユニット基台に固定する取付装置とを備えたものにできる。 
【００１０】
上記俯仰調節機構は、上記ユニット基台および上記連装ユニットと上記楔形スペーサとの間に封止装置を更に備えたものにしてもよい。
【発明の効果】
【００１１】
複数の水噴射ノズルを、それぞれ複数の水噴射ノズルを有する複数の連装ユニットに纏め、上記連装ユニットを俯仰調節機構を設けてユニット基台に取り付けたので、調節機構の数が少なく、構造が簡単で調節作業が容易であり、また連装ノズルの全体の寸法が小さくコンパクトになる。
上記俯仰調節機構は、連装ユニットの俯仰を調節する調節ボルトと、上記連装ユニットと上記ユニット基台との間を封止する封止装置とを備えているので、構造が簡単で安価に製造でき、連装ノズルの小型化を図ることができる。
【００１２】
上記ユニット基台に設けられて上記ユニットを揺動可能に支持する支点が設けられているので、構造が簡単で安価に製造でき、調節後の位置にしっかりと固定することが可能であり、調整作業が容易である。
上記支点が上記ユニット基台端面よりも上記封止装置側に設けられているので、簡単な構造で封止の信頼性を高めることができ、また、揺動による変位が小さくて済むので俯仰調節角度を大きくとることができる。
上記支点位置が調節可能であるので、簡単な構造で微妙な調節も容易にできる。
【００１３】
上記俯仰調節機構は、上記ユニット基台と上記連装ユニットとの間に挿入されて、上記連装ユニットの俯仰角度を調節する楔型スペーサと、上記楔形スペーサを介して上記連装ユニットを上記ユニット基台に固定する取付装置とを備えているので、構造が簡単で安価に製造でき、調節後のずれの虞がなく、連装ノズルがコンパクトになり、美感も優れたものになる。
【００１４】
上記俯仰調節機構は、上記ユニット基台および上記連装ユニットと上記楔形スペーサとの間に封止装置を更に備えているので、安価で簡単な構造で封止装置の信頼性を高めることができる。
【発明を実施するための最良の形態】
【００１５】
実施の形態１．図１及び図２は本発明の一実施形態の連装ノズルを示してあり、この連装ノズルに於いては、放水設備の給水パイプ１に接続され得るヘッド本体２には複数の分岐した給水パイプ３が設けられている。これらの給水パイプ３の開端は後述する俯仰調節機構４によって給水パイプ３に俯仰調節可能に取り付けられた円形の端板５によって閉ざされていて、それぞれの端板５には複数の水噴射ノズル６を有する連装ユニット７が取り付けられている。 
【００１６】
このように、この発明の連装ノズルに於いては、複数のノズル６が給水パイプ３の開端を閉じるように取付られた端板５に設けられた連装ユニット７として形成されている。また、複数の水噴射ノズル６は、それぞれ複数の水噴射ノズル６を有する複数の連装ユニット７として纏められ、それぞれの連装ユニット７は後述する俯仰調節機構４を介してユニット基台である給水パイプ３に取り付けられている。 
【００１７】
図３および図４は連装ユニット７の詳細を示し、図３は図２のＸ−Ｘ断面（水平断面）を示す断面図、図４は図２のＹ−Ｙ断面（垂直断面）を示す断面図である。これらの図ではユニット基台８が独立した部品として示してあるが、図１および図２の構造ではユニット基台８は分岐した給水パイプ３の一体的に連続した先端部分である。図３および図４に示すような独立したユニット基台８を持つ連装ノズルの場合、ユニット基台８はテーパーネジ（図示してない）等の連結手段によって封止連結して用いる。 
【００１８】
図示の連装ノズルは、放水設備の給水パイプに（図示してない）接続されるべき環状のユニット基台８の内部にノズルブロック９の円柱状部分１０が緩く挿入され、ユニット基台８とノズルブロック９の円柱状部分１０との間には給水圧がユニット基台にかかるとその水圧で弾力的に拡幅し、この隙間を封じるＶ−パッキング等の封止装置１１が設けられており、ノズルブロック９の角柱状部分１２は端板５を貫通している。ノズルブロック９はネジ１３により端板５に固着されており、またそれぞれ所定の角度に設定された複数（図示の例では８個）の水噴射ノズル６が形成されている。 
【００１９】
図４に示すように、端板５の径方向つまりＹ−Ｙ断面方向両端部には円筒面状の凹部１４（図４の断面に垂直な軸のカマボコ状の凹部）の座面を持つ上下（図４では左右）に長い長穴１５が設けられていて、この長穴１５には凹部１４と接触する部分が凹部１４と同様な円筒面を持つ座金１６を有する調節ボルト１７が緩く通されていてユニット基台８にネジ係合により固定されている。長穴１５は、この２本の調節ボルト１７を結ぶ方向（図４中左右方向）に長く形成した穴である。なお、この調節ボルト１７および上記の封止装置を備えた機構は俯仰調節機構である。また、端板５の調節ボルト１７が設けられている径方向に対して直角な径方向（Ｘ−Ｘ断面方向）の両端部には、図３に示すように端板５のネジ穴１８にネジ係合したジャッキネジである調節ネジ１９が設けられている。調節ネジ１９の球面又は円錐形状の先端は、図５に示すようにユニット基台８の両端面に形成された一対のＵ字形の切欠段部２１のＵ字の底部に当接していて、端板５がこの先端を支点２０としてユニット基台８に対して揺動できるように構成されている。次に、動作を説明すると、図４で右（図２の取付状態に於いて下）の調節ボルト１７を緩めて、左（図２に於いて上）の調節ボルト１７を締めると、連装ユニットは左側（図２に於いて上側）に傾くので、そのノズルブロック９に形成された全ての水噴霧ヘッド６の俯仰角度を一度の作業で調節できる。ところで、この上方への俯仰調節の際、実際の所は図２に於いて下の調節ボルト１７を緩める際、端板５とノズルブロック９はその自重で支点２０とともに下方に長穴１５の遊び分だけ平行にずり落ちる虞があるため、下の調節ボルト１７を緩めながら、支点２０を中心に上向きに揺動するよう端板５を持ち上げ押さえるようにする。そのあと、上の調節ボルト１７を、一対の調節ネジ１９が適度に突っ張るまで締める。これを必要なだけ繰り返して俯仰調節をする。下方への俯仰調節をする場合は、上の調節ボルト１７を緩めるが、その際、ノズルブロック９等の自重で自然に下がるので支点２０がずれないように端板５の下端を押さえながら行い、次に下の調節ボルト１７を一対の調節ネジ１９が適度に突っ張るまで締める。以上の調節に於いて端板５は図５の支点２０を中心に揺動するので、図４に於ける支点２０を中心とする揺動は矢印Ａ、Ｂのようになり、固定された調節ボルト１７に対して長穴１５の内壁が当接して揺動を制限することはない。また、Ｕ字形の切欠段部２１の切欠幅は揺動方向に十分広く、段部２１の底部の支点２０を中心に揺動する調節ネジ１９の揺動を制限することはない。この支点２０はユニット基台８の上端面２２よりも封止装置１１に近い側に設けられているのが望ましく、図３に示すように２つの支点２０が封止装置１１の成す中心面上にあるのが良い。何故なら封止装置１１が連装ユニットの揺動の中心近くにあれば揺動による変位がごく僅かで済むからである。即ち、図４に於ける支点２０を中心とする揺動に於いて、封止装置近くの円柱部分の揺動は矢印Ｃ、Ｄに示すようであり、ほぼ上下（軸方向）だけの変位となり、封止装置が吸収する幅方向即ち左右の変位は少ししかないので、俯仰調節角度はより大きくとることができる。また、俯仰調節に余裕ができ、封止力の信頼性を高めることができる。 
【００２０】
このように、この発明の連装ノズルによれば、複数の水噴射ノズル６が１つのノズルブロック９に形成され、このノズルブロック９が給水パイプ３の開端を閉じるように取付られる端板１１に設けられた連装ユニット７として形成されているので、調節機構の数が少なく、構造簡単、調節作業容易、連装ヘッド小型となり、複数ノズルの方向を一斉に変更調節することが容易であり、連装ノズルの小型化が容易にできる。なお、この実施形態１では角度調節を俯仰のみで行うものであるが、調節ネジ１９の当接する切欠段部２１の切欠幅（特に図３において左右）を大きめに形成し、かつ端板の長穴１５を球面座面を持つ大穴とし、更にこの大穴よりも大径の球面を有する座金を持つ調節ボルト１７を備えることにより、左右の調節も可能な連装ノズルとすることができる。すなわち、上下（俯仰）の調節をした後、図３に於いて、右の調節ネジ１９を緩めて端板５から支点２０までの長さ、即ち支点長さを短くし、左の調節ネジ１９を締めて左の支点長さを長くさせていき、一対の調節ボルト１７が端板５がユニット基台８から離れるのを適度に堅持するまで締めるようにする。こうするとノズルブロック９は右の方に向きが調節される。左の方への向きも同様に調節される。このときノズルブロック９とともに端板５および一対の調節ネジ１９が右の方に傾くが、左の切欠段部２１の切欠幅に左右揺動用の空間を形成しているので、切欠段部２１が調節ネジ１９の左右の揺動を制限することはない。このように調節ネジ１９を調整、すなわち支点位置を調整可能なようにすると、散水が左右方向においても調節可能となり、簡単な構造で擬妙な調節も容易にできる。 
【００２１】
実施の形態２．図６乃至図８はこの発明の連装ノズルの別の実施形態を示す図であり、左を上、右を下に設置される。この連装ノズルは、図１乃至図５に示す連装ノズルと同様の基本的構成を持っている。相違する部分は、第１に、ユニット基台８が給水パイプ３の一部ではなく独立した部品であって、給水パイプ３の端部に例えばねじ込まれて封止接続されるよう構成されていることである。第２に、ノズルブロック２４はノズルブロック９のように別個の独立した端板５で支持されているのではなく、ノズルブロック２４が全体として円柱状の部材であって、ノズルブロック２４から一体に径方向に十字型に延びた２対の腕２５および２６が設けられている点である。第３にノズルブロック２４の揺動支持のための支点２７がユニット基台８の上端面２２の左右端から円筒状のユニット基台８の軸方向に突出した一対の突起２８の先端と腕２６との当接部であることである。 
【００２２】
その他の点は図１乃至図５の連装ノズルと同様であって、俯仰調節をする場合、一方の例えば図７で右側（設置状態で下側）の調節ボルト１７を緩めて他方の例えば左側（設置状態で上側）の調節ボルト１７を締めれば、連装ユニット７は図６に破線で示すように設置状態で上向きに傾くのでそのノズルブロック２４に形成された全ての水噴射ノズル６の角度を一度の作業で調節できる。封止装置１１も設けられている。上述のように俯仰調節した場合、揺動の支点２７はノズルブロック９の表面に近い位置あるいはノズルブロック９の後方に備えられ、前後に離れた位置にあるので封止装置１１の辺りのノズルブロック９において、上側は封止の隙間が広がり、下側は封止の隙間が狭くなる。しかし、封止装置１１であるＶパッキングは隙間が広がっても給水圧により拡幅するため漏れることはなく、狭くなっても業務に潰れて封止を保つ。 
【００２３】
実施の形態３．図９乃至図１１にはこの発明の連装ノズルの別の実施形態を示す。この連装ノズルは、図６乃至図８に示す連装ノズルと同様の基本的構成を持っている。相違する部分は、第１に、本実施形態に於けるノズルブロック２４ａはノズルブロック２４ａから腕２５および２６が一体に２対延びているのではなく、径方向反対方向に延びた一対の調節用の腕２５だけが設けられている点である。第２にノズルブロック２４ａの揺動支持のための支点３０が、ユニット基台８の左右端から一体に上端面２２の上方に向かって互いに平行にユニット基台８の軸方向に突出した一対の支持腕３１の先端に径方向内側にねじ込まれた一対のピン３２によって構成されている点である。このピン３２はノズルブロック２４ａの円柱部の左右端（図１１に於いては上下に示される。）に形成された穴３３内に挿入されていて、ノズルブロック２４ａがピン３２を中心に揺動できるようにしてある。 
【００２４】
その他の点は図１乃至図５の連装ノズルと同様であって、一方の例えば図１０で下側の調節ボルト１７を緩めて他方の例えば上側の調節ボルト１７を締めれば、連装ユニット７は図１０でピン３２の回りに反時計方向に回動するので、そのノズルブロック２４ａに形成された全ての水噴射ノズル６の角度を一度の作業で調節できる。先の例と同様に封止装置１１も設けられている。 
【００２５】
実施の形態４．図１２乃至図１６には、この発明の連装ノズルの別の実施形態を示す。この連装ノズルに於いては、給水パイプ３の開端部分がユニット基台３５となっており、このユニット基台３５と図１３に示す連装ユニット３６との間に図１４に示すように連装ユニット３６の俯仰角度を調節する図１５に示すような楔型スペーサ３７が挿入され、連装ユニット３６はユニット基台３５に対してこの楔形スペーサ３７と共に取付ボルト等の取付装置３８により固定されている。 
【００２６】
取付ボルト３８を通すために楔形スペーサ３７および連装ユニット３６に形成されている穴は、ユニット基台３５に対して角度を持って取り付けられた場合でも強固に固定されるように、取付ボルト３８の通し孔は長穴にされている（図１３参照）。また図１６に示すように、連装ユニット３６のフランジ部３９は通し孔の周囲で蒲鉾型の円筒面とされた膨出部４０を持っている。この膨出部４０の円筒面は連装ユニット３６が傾いた位置でも取付ボルト３８の頭部の底面にしっかりと接触して固着関係を確実なものにする。このように、この連装ノズルに於いては、俯仰調節機構は、連装ユニット３６の俯仰角度を調節する楔型スペーサ３７と、楔形スペーサ３７を介して連装ユニット３６をユニット基台３５に固定する取付装置３８とを備えている。 
【００２７】
楔形スペーサ３７は比較的硬度の高いゴム、合成樹脂、金属等パッキング材料で作ることもできるが、図１７に示すようにユニット基台３５、楔形スペーサ３７および連装ユニット３６の間に”Ｏ”リング等の封止装置４１を挿入して封止を完全なものとすることもできる。また、連装ユニット３６をユニット基台３５に取り付けるための取付ネジ（図示してない）が、楔形スペーサ３７を貫通せずにその外側を通るように配置すれば、楔形スペーサ３７に取付ネジを通すための穴を設ける必要が無く、取付ネジを取り外さずに緩めるだけで楔形スペーサ３７を着脱できるようになる。 
【００２８】
実施の形態５．図１８乃至図２５には、本発明の別の実施形態の連装ノズルに使用できる連装ユニット４４を示す。この連装ユニット４４は図１８および図１９に示すように平面形がほぼ矩形のノズルブロック４５にほぼ矩形形状に沿って各辺につき３本ずつで合計８本の水噴射ノズル４６が配置されている。これらの水噴射ノズルは図２０乃至図２２に示す断面図から理解されるようにそれぞれ方向が異なっている。即ち、この連装ユニット４４を用いた連装ノズルにより得られる図２３に示すような扇状の放水パターンの中央散水領域に向けられて、そこを受け持つ水噴射ノズルとしては、図２０および図２２に示すような、連装ユニット４４の正面方向に対する傾斜角度が比較的小さいノズルとし、かつ、図２４および図２５に示すような給水配管断面の管内壁寄り部の放水の流速の小さい部分にノズル流入口が開いた水噴射ノズルとする。他方、図２３の放水パターンの端部散水領域に向けられて、そこを受け持つ水噴射ノズルとしては、図２１に示すような上記傾斜角度が比較的大きいノズルとし、かつ、図２４および図２５に示すような給水配管断面の給水配管断面の中央部分にノズル流入口が開いた水噴射ノズルとする。 
【００２９】
一般に、連装ノズルによる放水パターンは、その端部散水領域で、放水に対する空気の抵抗が大きいため、また給水配管内の管壁近くで流れ抵抗や剥離、渦により流速が低下するために、射程が短くなりがちである。反対に放水パターンの中央散水領域では、放水に対する空気の抵抗が小さく、また給水配管内の中央部分では流れ抵抗や剥離、渦により流速が低下しないために、射程が短くなりにくい。この結果、放水パターンが所望通りにならず、設計が困難であった。 
【００３０】
この発明の連装ノズルによれば、図２４および図２５に示すような強い流れは連装ユニットの中央に近い部分にノズル流入口を持つ水噴射ノズルから放水パターンの端部に向かって放水され、弱い流れは周辺部にノズル流入口を持つ水噴射ノズルから放水パターンの中央に向かって放水されるため、放水射程が一様となり望みの放水パターンを得るのが容易である。なお、上述の実施形態５では扇状の放水パターンの場合を説明したが、円錐状や他の放水パターンであってもよい。 
以上の如く本発明の連装ノズルによる効果は次の通りである。複数のノズルが放水設備の給水パイプの開端を閉じるように取付られ得る端板に設けられた連装ユニットに形成されているので、構造簡単となり、複数ノズルの方向を一斉に変更するのが容易である。 
【００３１】
上記連装ユニットの複数の水噴射ノズルのうち、給水配管断面の中央部分に開いた水噴射ノズルを、放水パターンの外周領域に向け、給水配管断面の管内壁寄り部の放水の流速の小さい部分に開いた水噴射ノズルを、放水パターンの内部領域に向けたものであるので、簡単な構造により、放水射程が一様となり望みの放水パターンが容易に得られる。
【図面の簡単な説明】
【００３２】
【図１】本発明の一実施形態の連装ノズルを用いた放水ヘッドを示す正面図である。
【図２】図１の放水ヘッドを示す側面図である。
【図３】図２のＸ−Ｘ線に沿った連装ノズルの断面図である。
【図４】図２のＹ−Ｙ線に沿った連装ノズルの断面図である。
【図５】図３の連装ノズルの支点を示す部分側面図である。
【図６】本発明の別の実施形態の連装ノズルを示す図４に対応する側面図である。
【図７】図６の連装ノズルの断面図である。
【図８】図６の連装ノズルの正面図である。
【図９】本発明の別の実施形態の連装ノズルを用いた放水ヘッドを示す側面図である。
【図１０】図９の連装ノズルの側面図である。
【図１１】図１０のＺ−Ｚ線に沿った連装ノズルの断面図である。
【図１２】本発明の更に別の実施形態の連装ノズルを用いた放水ヘッドを示す平面図である。
【図１３】図１２の連装ノズルの斜視図である。
【図１４】図１２の連装ノズルの部分側面図である。
【図１５】図１２の連装ノズルのスペーサの斜視図である。
【図１６】図１２の連装ノズルの長穴を説明する部分断面図である。
【図１７】図１２の連装ノズルの別の実施形態を示す部分側面図である。
【図１８】本発明の別の実施形態の連装ノズルを示す正面図である。
【図１９】図１８の連装ノズルの平面図である。
【図２０】図１８のＡ−Ａ線に沿った連装ノズルの断面図である。
【図２１】図１８のＢ−Ｂ線に沿った連装ノズルの断面図である。
【図２２】図１８のＣ−Ｃ線に沿った連装ノズルの断面図である。
【図２３】本発明の連装ノズルによる放水パターンを示す図である。
【図２４】図２１の連装ノズルの作用を曲がった給水配管の場合について説明する概略断面図である。
【図２５】図２１の連装ノズルの作用を径が急に広がる給水配管の場合について説明する概略断面図である。
【図２６】従来の放水ヘッドに使用できるボールジョイントを角度調節機構として用いたノズルの斜視図である。
【図２７】図２６のボールジョイントの縦断面図である。
【符号の説明】
【００３３】
１ 給水パイプ、４ 俯仰調節機構、５ 端板、６ ノズル（水噴射ノズル）、７ 連装ユニット、８ ユニット基台、１１ 封止装置、１７ 調節ボルト、２０ 支点、２２ 基台端面、３７ 楔型スペーサ、３８ 取付装置、４１ 封止装置。
【図１】
2008049342.tif 000003
【図２】
2008049342.tif 000004
【図３】
2008049342.tif 000005
【図４】
2008049342.tif 000006
【図５】
2008049342.tif 000007
【図６】
2008049342.tif 000008
【図７】
2008049342.tif 000009
【図８】
2008049342.tif 000010
【図９】
2008049342.tif 000011
【図１０】
2008049342.tif 000012
【図１１】
2008049342.tif 000013
【図１２】
2008049342.tif 000014
【図１３】
2008049342.tif 000015
【図１４】
2008049342.tif 000016
【図１５】
2008049342.tif 000017
【図１６】
2008049342.tif 000018
【図１７】
2008049342.tif 000019
【図１８】
2008049342.tif 000020
【図１９】
2008049342.tif 000021
【図２０】
2008049342.tif 000022
【図２１】
2008049342.tif 000023
【図２２】
2008049342.tif 000024
【図２３】
2008049342.tif 000025
【図２４】
2008049342.tif 000026
【図２５】
2008049342.tif 000027
【図２６】
2008049342.tif 000028
【図２７】
2008049342.tif 000029